(57)【要約】  本発明は、表意文字データベースシステム及びその処理方法に関する。前記データベースシステムには、表意文字を構成する字形ドットとストロークで構成される漢字部首に分離され、各漢字部首が１ストローク（１画）からなり、配列が前記漢字部首のそれぞれに割り当てられ、前記それぞれの表意文字が前記漢字部首の配列と各表意文字の書き順とに従って配置されるフィールドを持つ表意文字データベースと；前記表意文字の配置配列に基づいて前記表意文字データベースの表意文字を検索するリストウィンドウと、が含まれる。前記データベース処理方法には、表意文字を構成する字形がその中でドットとストロークで構成される漢字部首に分離され、各漢字部首が１ストローク（１画）からなり、配列が前記漢字部首のそれぞれに割り当てられ、前記それぞれの表意文字が前記漢字部首の配列と各表意文字の書き順とに従って配置されるフィールドを持つ表意文字データベースを設けるステップと、前記表意文字の配置配列に基づいて前記表意文字データベースの表意文字を検索するリストウィンドウを設けるステップと、が含まれる。
2010505181.tif 000002
【特許請求の範囲】
【請求項１】
表意文字データベースシステムであって、表意文字を構成する字形ドットとストロークで構成される漢字部首に分離され、各漢字部首が１ストローク（１画）からなり、配列が前記漢字部首のそれぞれに割り当てられ、前記それぞれの表意文字が前記漢字部首の配列と各表意文字の書き順とに従って配置されるフィールドを持つ表意文字データベースと；前記表意文字の配置配列に基づいて前記表意文字データベースの表意文字を検索するリストウィンドウと、が含まれることを特徴とする表意文字データベースシステム。
【請求項２】
請求項１のデータベースシステムであって、前記表意文字データベースに含まれる表意文字で構成された値を持つフィールドを含むユーザーデータベースにおいて、前記ユーザーデータベースは、前記表意文字データベースの表意文字の配置配列に従って配置または検索されることを特徴とする表意文字データベースシステム。
【請求項３】
前記リストウィンドウにおいて、前記表意文字データベースの表意文字がグループを形成するために所定数に分割され、前記分割グループのそれぞれの第１表意文字のリストウィンドウが生成され、各グループの第１表意文字が選択される場合、各グループに属する表意文字のリストウィンドウは前記リストウィンドウに表示されることを特徴とする請求項１の表意文字データベースシステム。
【請求項４】
前記表意文字データベースにおいて、前記表意文字の部首画数、発音、及び総画数を含む１つまたは複数の情報がそのフィールドとして指定されることを特徴とする請求項１の表意文字データベースシステム。
【請求項５】
前記表意文字データベースにおいて、各表意文字に個別に割り当てられた文字コードまたは連番がそのフィールドとして指定されることを特徴とする請求項１の表意文字データベースシステム。
【請求項６】
漢字部首の形状が、
2010505181.tif 000062
2010505181.tif 000063
2010505181.tif 000064
であり、前記配置配列を有することを特徴とする請求項１の表意文字データベースシステム。
【請求項７】
前記表意文字データベースの表意文字の配置配列において、「口」、「一」、「目」、「山」、及び「白」がその文字の左側にある文字：「味」、「時」、「眼」、「峰」及び「的」などと、
2010505181.tif 000065
がその文字の上側にある文字：
2010505181.tif 000066
などと、は分離して配置されることを特徴とする請求項１の表意文字データベースシステム。
【請求項８】
表意文字データベース処理方法であって、表意文字を構成する字形ドットとストロークで構成される漢字部首に分離され、各漢字部首が１ストローク（１画）からなり、配列が前記漢字部首のそれぞれに割り当てられ、前記それぞれの表意文字が前記漢字部首の配列と各表意文字の書き順とに従って配置されるフィールドを持つ表意文字データベースを設ける第１ステップと；前記表意文字の配置配列に基づいて前記表意文字データベースの表意文字を検索するリストウィンドウを設ける第２ステップと、を含む表意文字データベース処理方法。
【請求項９】
請求項８のデータベース処理方法であって、前記表意文字データベースに含まれる表意文字で構成された値を持つフィールドを含むユーザーデータベースを設ける第３ステップと、前記表意文字データベースの表意文字の配置配列に従って前記ユーザーデータベースを配置または検索する第４ステップと、がさら含まれる表意文字データベース処理方法。
【発明の詳細な説明】
【技術分野】
【０００１】
本発明は、表意文字データベースシステム及びその処理方法に関し、特に、中国文字（以下「漢字」）などの表意文字を含むデータベースを効率的に処理するデータベースシステム、及びその処理方法に関する。
【背景技術】
【０００２】
一般に、文字はその種類に応じて絵文字、表意文字及び表音文字に大分類される。絵文字は言語内容をまとめて表現する文字を意味する。表意文字は漢字のように記号法の標識記号として言葉の意味を表現する文字を意味する。表音文字はアルファベットや韓国アルファベットのように抽象記号として言葉の要素または音を表現する文字を意味する。
【０００３】
地球上の文字は一般に３種類の文字に分類できる。絵文字は一般に道標などの絵記号に使用され、表音文字と表意文字に有意に分類できる。
【０００４】
表音文字は、１字が１音節を表す音節文字と、１字が１音を表す音文字と、に分割することも可能である。韓国アルファベットは、子音と母音の集合として音節を表すので音節文字の特性を有するが、その文字を分解して音に復元できることから、音文字の特性により近い特性を示す。
【０００５】
この表音文字は音節を分離することによって言語を表し、限定数の分離音節を持つ。データベースはこの表音文字を用いて構築されるが、インデックス付けや検索を音節の数と分類に応じて行うことができるため、非常に科学的であり効率も良い。
【０００６】
しかしながら、漢字などの表意文字には膨大な数の文字があり、その入力が複雑であることから、デジタル時代における利用に多くの問題点がある。
【０００７】
大韓民国では、漢字の場合、標準漢字１８００が指定されており、演算処理などに使用されている。中国においては、その国家標準（ＧＢ、Ｇｕｏ−Ｂｉａｏ（国標））に従って、ＧＢ２３１２では簡体字中国語文字７４４５が、ＧＢ７５８９では簡体字中国語文字７２３７（ほとんど利用されていない）が、さらに、ＧＢ１８０３０では、２７，４８４字が、それぞれ指定されている。さらに、ユニコード、つまり国際標準では、世界中で使用されている２６言語の文字と特殊記号の１つ毎に、文字集合ＩＳＯ／ＩＥＣ１０６４６-１に基づいたコード値が割り当てられている。
【０００８】
ユニコードでは、当初、２バイトで表現する６５，５３５文字のみが提示されたが、各言語グループに分類されて、４バイトで表現されるようになり、ユニコードバージョン３.０では、５７，７０９字がさらに提示された。
【０００９】
漢字、つまり代表的な表意文字では、１３万以上の文字が知られているが、正確な文字数は知られていない。さらに、前記漢字の全てまたはその一部が使用されている大韓民国、中国、台湾、及び日本では、各国独自の漢字が独立して使用されている。それ故、全ての漢字の標準化と処理における問題があった。
【００１０】
さらに、たとえ、全ての漢字をデータベース化して入力できるコンピュータや携帯電話などのシステムが存在したとしても、１３万の漢字から所望の漢字を見つけて入力することは容易なタスクではない。
【００１１】
これまでに発表されたほとんどの漢字入力方法では、漢字が部首、総画数または発音に従って入力される。また、各部首画数/総画数/発音に対応する漢字も無数存在する。漢字はその部首画数/総画数/発音が分かっているときのみに入力することができ、さらに、入力しようとする漢字を各部首画数/総画数/発音に対応する漢字のリストから選択して入力しなければならないという問題があった。
【００１２】
図１に示すように、漢字の部首画数と総画数の順序で配置されるユニコードの漢字を入力する場合、多数の字から所望の字を見つけて入力することは容易なことではない。図１のリストウィンドウは、韓国アルファベットのワープロソフトの１つであるアレアハングルで拡張漢字を入力するために使用される。
【００１３】
漢字の別の入力方法として、漢字部首を分離し、その書き順に従って漢字を入力する方法があるが、前記漢字部首のそれぞれの順序に従って対応する漢字を検索し、それを前記リストウィンドウに提示し、選択することは、前記リストウィンドウに記載された漢字も部首画数または総画数の配列に従って配置されていることを除いては、部首画数/総画数/発音に従って入力する前記方法と同じである。従って、入力しようとする漢字を見つけることが困難であるという問題がある。
【００１４】
本出願人は、韓国特許申請第１０-２００５-２７１３９号と第１０-２００５-３５５７６号によって、漢字部首に従って漢字を分類し、単にその書き順に従って漢字を入力するという画期的な入力方法を開示した。
【００１５】
前記出願人の発明によれば、漢字部首とその配列に従って漢字を認識する方法を用いているので、前記漢字部首の配列が格納されている場合、任意の漢字を表音文字のように容易に入力できる。
【００１６】
しかしながら、本出願人の発明はその入力方法のみには対応しているが、漢字を含むデータベースに当該方法を適用することによる具体的な演算処理方法を提示していない。
【発明の概要】
【発明が解決しようとする課題】
【００１７】
それ故、本発明は従来の技術において発生する上記問題を念頭に置いてなされたものであり、本発明の目的は、漢字などの表意文字を効率的に処理できるデータベースシステム、及びその処理方法を提供することである。
【課題を解決するための手段】
【００１８】
上記目的を達成するため、本発明のデータベースシステムには、表意文字を構成する字形ドットとストロークで構成される漢字部首に分離され、各漢字部首が１ストローク（１画）からなり、配列が前記漢字部首のそれぞれに割り当てられ、前記それぞれの表意文字が前記漢字部首の配列と各表意文字の書き順とに従って配置されるフィールドを持つ表意文字データベースと；前記表意文字の配置配列に基づいて前記表意文字データベースの表意文字を検索するリストウィンドウと、が含まれる。
【００１９】
前記データベースシステムには、前記表意文字データベースに含まれる表意文字で構成された値を持つフィールドを含むユーザーデータベースがさら含まれる。前記ユーザーデータベースは、前記表意文字データベースの表意文字の配置配列に従って配置または検索される。
【００２０】
前記リストウィンドウでは、前記表意文字データベースの表意文字がグループを形成するために所定数に分割される。前記分割グループのそれぞれの第１表意文字のリストウィンドウが生成され、各グループの第１表意文字が選択される場合、各グループに属する表意文字のリストウィンドウは前記リストウィンドウに表示される。
【００２１】
前記表意文字データベースでは、前記表意文字の部首画数、発音、及び総画数を含む１つまたは複数の情報がそのフィールドとして指定される。
【００２２】
前記表意文字データベースでは、各表意文字に個別に割り当てられた文字コードまたは連番もそのフィールドとして指定される。
【００２３】
それらの漢字部首の形状は、
2010505181.tif 000003
2010505181.tif 000004
であり、前記配置配列を有する。
【００２４】
前記表意文字データベースの表意文字の配置配列では、「口」、「日」、「目」、「山」、及び「白」がその文字の左側にある文字：「味」、「時」、「眼」、「峰」、及び「的」などと、
2010505181.tif 000005
がその文字の上側にある文字：
2010505181.tif 000006
などと、は分離して配置される。
【００２５】
本発明の表意文字データベース処理方法には、表意文字を構成する字形がその中でドットとストロークで構成される漢字部首に分離され、各漢字部首が１ストローク（１画）からなり、配列が前記漢字部首のそれぞれに割り当てられ、前記それぞれの表意文字が前記漢字部首の配列と各表意文字の書き順とに従って配置されるフィールドを持つ表意文字データベースを設ける第１ステップと、前記表意文字の配置配列に基づいて前記表意文字データベースの表意文字を検索するリストウィンドウを設ける第２ステップと、が含まれる。
【００２６】
前記データベース処理方法には、前記表意文字データベースに含まれる表意文字で構成された値を持つフィールドを含むユーザーデータベースを設ける第３ステップと、前記表意文字データベースの表意文字の配置配列に従って前記ユーザーデータベースを配置または検索する第４ステップと、がさら含まれる。
【００２７】
本発明によれば、簡体字中国語文字、繁体字中国語文字、及びその変異形態だけではなく、漢字が他の国に広まったと同時に独特に変化してベトナムで使用されている変異漢字に対応するチュノム文字（図５を参照）、中国の少数民族間で使用されているナシ（納西）文字、女真文字、契丹文字、女文字（図６を参照）、及びタングート（西夏）文字（図７を参照）をも表現することができる。
【００２８】
さらに、本発明によれば、カタカナ、つまり日本語の標準書体（楷書体）に由来する文字を前記表意文字データベースに含むこともできる。
【００２９】
さらに、甲骨文字、Chinewn、伝輸、篆書体（小篆）、隷書体（楷書体）、標準書体（楷書体）、行書体（流れる書体）、及び草書体（草の書体）に使用される漢字部首が分離され、次いでその配列が配置されることから、本発明は筆法にかかわらず使用できる。
【００３０】
さらに、本発明は韓国、中国、日本などに使用される漢字の一部または全てを含むことができる。
【発明の効果】
【００３１】
本発明に係る表意文字データベースシステム及びその方法が採用される場合、漢字を簡単に入力でき、表意文字を含む他のデータベースを簡単かつ効率的に処理できる。
【図面の簡単な説明】
【００３２】
本発明のさらなる目的及び利点は、添付図面と併せて以下に記載した詳細な説明によってさらに完全に理解されるであろう。なお、各添付図面の説明は下記の通りである。
【図１】従来のユニコード漢字入力ウィンドウを例示する図
【図２】本発明のリストウィンドウを例示する図
【図３】図２のリストウィンドウによって関係付けられたリストウィンドウを例示する図
【図４】図２のリストウィンドウの別形態を例示する図
【図５】チュノム文字の一例を図示する図
【図６】女文字の一例を図示する図
【図７】タングート（西夏）文字の一例を図示する図
【発明を実施するための形態】
【００３３】
ここで、本発明を添付図面を参照して特定の実施形態に関して詳細に説明する。以下の説明では、標準書体（楷書体）として簡体字中国語文字を用いるが、当業者であれば、本発明の真の趣旨を簡体字中国語文字のみならず他の形態の表意文字にも容易に適用できるであろう。
【００３４】
まず、本発明を実施するために、簡体字中国語文字（漢字）の部首を分離し、それらの配列を前記分離した漢字部首に割り当てた。
【００３５】
一実施形態では、上記のように、簡体字中国語文字（漢字）の部首を以下の計２８の部首に分類した。
2010505181.tif 000007
2010505181.tif 000008
2010505181.tif 000009
【００３６】
前記分離した漢字部首のそれぞれにより構成される漢字を以下に説明する。
【００３７】
（１）
2010505181.tif 000010
（Ａ）： この漢字部首で始まる漢字に含まれるのは、例えば、「一」、「王」、「寸」、「大」、「耐」、などである。
【００３８】
（２）
2010505181.tif 000011
（Ｂ１）： この漢字部首で始まる漢字に含まれるのは、例えば、「七」と「切」であり、「打」の第３漢字部首がこの漢字部首を使用し、また、「次」の第２部首もこの漢字部首を使用する。
【００３９】
（３）
2010505181.tif 000012
（Ｂ２）： 「洪」の第３漢字部首がこの漢字部首を使用し、また、「海」の第３漢字部首もこの漢字部首を使用する。
【００４０】
（４）
2010505181.tif 000013
（Ｃ）： この漢字部首で始まる漢字に含まれるのは、例えば、巳、弓、民、などである。
【００４１】
（５）
2010505181.tif 000014
（Ｄ）： 「役」の第５漢字部首がこの漢字部首を使用し、「冗」の第４漢字部首もこの漢字部首を使用する。
【００４２】
（６）
2010505181.tif 000015
（Ｅ）： この漢字部首で始まる漢字に含まれるのは、例えば、「司」、「力」、
2010505181.tif 000016
、
2010505181.tif 000017
、などであり、また、「危」の第５漢字部首がこの漢字部首を使用する。
【００４３】
（７）
2010505181.tif 000018
（Ｆ）： この漢字部首を第２漢字部首に用いた漢字は、
2010505181.tif 000019
さらに、
2010505181.tif 000020
であり、また、「言」の簡体字中国語文字も含む。
【００４４】
（８）
2010505181.tif 000021
（Ｇ）： この漢字部首で始まる漢字に含まれるのは、例えば、「子」、「又」、「發」、「皮」、などである。
【００４５】
（９）
2010505181.tif 000022
（Ｈ）： この漢字部首で始まる漢字に含まれるのは、例えば、「乙」であり、「乞」の第３漢字部首もこの漢字部首を使用する。
【００４６】
（１０）
2010505181.tif 000023
（Ｉ１）： この漢字部首で始まる漢字に含まれるのは、例えば、「乃」、「孕」であり、以下の漢字の第５漢字部首：
2010505181.tif 000024
もこの漢字部首を使用する。
【００４７】
（１１）
2010505181.tif 000025
（Ｉ２）： この漢字部首で始まる漢字に含まれるのは、例えば「防」、「院」、「阪」、などである。
【００４８】
（１２）
2010505181.tif 000026
（Ｊ）： この漢字部首で始まる漢字に含まれるのは、例えば、
2010505181.tif 000027
「飛」などである。
【００４９】
（１３）
2010505181.tif 000028
（Ｋ）： この漢字部首で始まる漢字に含まれるのは、例えば、「口」、「日」、「肉」、「山」、「止」などである。
【００５０】
（１４）
2010505181.tif 000029
（Ｌ）： この漢字部首で始まる漢字に含まれるのは、例えば、
2010505181.tif 000030
、
2010505181.tif 000031
などである。
【００５１】
（１５）
2010505181.tif 000032
（Ｍ）： この漢字部首は以下の漢字の第２漢字部首に使用され
2010505181.tif 000033
「兄」の第５漢字部首もこの漢字部首を使用する。
【００５２】
（１６）
2010505181.tif 000034
（Ｎ）： この漢字部首は以下の漢字の第２漢字部首に使用され
2010505181.tif 000035
以下の漢字の第４漢字部首：
2010505181.tif 000036
もこの漢字部首を使用する。
【００５３】
（１７）
2010505181.tif 000037
（Ｏ）： この漢字部首で始まる漢字に含まれるのは、例えば、「水」、「小」、などである。
【００５４】
（１８）
2010505181.tif 000038
（Ｐ）： 「豕」の第３漢字部首がこの漢字部首を使用し、「狂」、「狭」の第２漢字部首などもこの漢字部首を使用する。
【００５５】
（１９）
2010505181.tif 000039
（Ｑ）： この漢字部首で始まる漢字に含まれるのは、例えば、「収」であり、「衣」の第４漢字部首もこの漢字部首を使用する。
【００５６】
（２０）
2010505181.tif 000040
（Ｒ）： この漢字部首で始まる漢字に含まれるのは、例えば、「手」、「香」、「斤」、
2010505181.tif 000041
などである。
【００５７】
（２１） 
2010505181.tif 000042
（Ｓ）： この漢字部首で始まる漢字に含まれるのは、例えば、「牛」、「竹」、「色」、「父」などである。
【００５８】
（２２）
2010505181.tif 000043
（Ｔ）： この漢字部首で始まる漢字に含まれるのは、例えば、
2010505181.tif 000044
であり、「互」の第２漢字部首と「私」の第６漢字部首も、この漢字部首を使用する。
【００５９】
（２３）
2010505181.tif 000045
（Ｕ）： この漢字部首で始まる漢字に含まれるのは、例えば、「口」、「巡」、「災」、などである。
【００６０】
（２４）
2010505181.tif 000046
（Ｖ）： この漢字部首で始まる漢字に含まれるのは、例えば、「月」、「凡」、「川」、などである。
【００６１】
（２５）
2010505181.tif 000047
（Ｗ）： 「人」の第２漢字部首がこの漢字部首を使用し、「公」の第２漢字部首もこの漢字部首を使用する。
【００６２】
（２６）
2010505181.tif 000048
（Ｘ）： 「代」の第４漢字部首がこの漢字部首を使用し、「民」の第５漢字部首もこの漢字部首を使用する。
【００６３】
（２７）
2010505181.tif 000049
（Ｙ）： この漢字部首で始まる漢字に含まれるのは、例えば、
2010505181.tif 000050
、「斗」、「洗」、「羊」、などである。
【００６４】
（２８）
2010505181.tif 000051
（Ｚ）： この漢字部首で始まる漢字に含まれるのは、例えば、「心」、「自」、「血」、などである。
【００６５】
各漢字部首の説明と同様に、簡体字中国語文字で第１ストローク（画）として使用できないストローク（画）の数は８、すなわち、上記連番の（第３）、（第５）、（第７）、（第１５）、（第１６）、（第１８）、（第２５）及び（第２６）ストローク（画）である。
【００６６】
７０００の漢字（中国政府によって指定された現代漢語通用字表７０００字）をその書き順を踏まえて前記分離した漢字部首の配列に従って配置すると、以下の配列で配置される。
2010505181.tif 000052
．．．（中略）．．． 
2010505181.tif 000053
【００６７】
各漢字部首の説明と同様、アルファベットを連番に対応するように構成する場合、コードをそれぞれの文字に割り当てることができる。例えば、それぞれの漢字部首と書き順に従って、「二」を「ＡＡ」で表し、「工」を「ＡＫＡ」で表し、及び「干」を「ＡＡＫ」で表すことができる。
【００６８】
「土」と「士」とを「工」と同じように「ＡＫＡ」で表すことができる。この場合、例えば、コード「ＡＫＡ１」を「土」に割り当ててもよく、コード「ＡＫＡ２」を「工」に割り当ててもよく、そしてコード「ＡＫＡ３」を「士」に割り当ててもよい。
【００６９】
例えば、文字が「一」や「乙」のような１漢字部首によって構成されるケースは非常に稀である。文字を上記漢字部首と書き順に従って入力する場合、その選択ウィンドウに入力しようとする文字を選択して入力しなければならない。つまり、「ＡＫＡ」を入力すると、「土」、「工」、「士」、「匪」、「款」などの「ＡＫＡ」で始まる文字のリストが前記リストウィンドウに表示される。そのうちの１つ「土」を選択すると「土」が入力され、「ＡＫＡ１」、すなわち、その文字に対応するコードが「土」に割り当てられる。
【００７０】
このコードの代わりに、各文字の配列に従って連番を文字に割り当てることによって文字を分類してもよい。
【００７１】
アドレス帳や電話帳と同様に氏名、住所、及び電話番号がそれぞれのフィールドによって構成され、かつ、その氏名や住所がその中に表意文字として入力されているユーザーデータベースがあると仮定すると、前記氏名や前記住所を前記表意文字データベースの配置配列とコード（または連番）に従って配置または調査する場合に前記ユーザーデータベースのデータを非常に効率的に処理できる。前記ユーザーデータベースには、さまざまな漢字辞書（レキシコン）やさまざまな文献など、ありとあらゆる種類のものが含まれてもよい。表意文字で構成されたフィールドが存在する場合、前記表意文字データベースとの関連でデータを効率的に処理できる。つまり、形を持つ表意文字がアルファベットのように配列を有することから、データを非常に効率的に処理できる。
【００７２】
また、前記表意文字データベースを用いて表意文字を非常に効果的に入力することもできる。
【００７３】
入力しようとする漢字が本発明の表意文字配置方法に従って選択される場合、マウスを２回クリックすることによって７０００文字の簡体字中国語文字（現代漢語通用字表７０００字）を入力でき、マウスを最大３回までクリックすることによって最大で１００万文字を容易に入力できる。
【００７４】
これを「表」の入力例をもって詳細に説明する。
【００７５】
前記表意文字データベースでは、表意文字が事前に指定した番号（連番）に分割され、グループを形成している。前記分割されたグループのそれぞれの第１表意文字は前記リストウィンドウに表示される。図２は、７０００の簡体字中国語文字が１００毎に分割されてグループを形成し、その分割されたグループのそれぞれの第１表意文字が処理されることを示すものである。つまり、番号０が「一」に割り当てられ、番号１００が
2010505181.tif 000054
に割り当てられ、．．．番号６９００が
2010505181.tif 000055
に割り当てられる。
【００７６】
「表」の書き順は「一」（Ａ）、「一」（Ａ）、
2010505181.tif 000056
（Ｋ）、「一」（Ａ）、
2010505181.tif 000057
（Ｓ）であり、書き順が「一」（Ａ）、「一」（Ａ）、
2010505181.tif 000058
（Ｋ）、
2010505181.tif 000059
（Ｂ１）であり、番号１００が割り当てられている
2010505181.tif 000060
に先立つ。よって、「表」は番号０と番号９９の間に存在することが分かる。つまり、これは、これらの文字をアルファベット配列に従って配置する際に「ＡＡＫＡＳ」．．．が「ＡＡＫＢ１」．．．に先立つためである。
【００７７】
ユーザーがマウスを用いて「一」を選択する場合、図３に示すように、前記リストウィンドウ０〜９９が現れる。また、前記リストウィンドウに表示される表意文字は、それらの漢字部首と本発明の配列にも従って配置されることから、番号７５を持つ「表」を容易に選択できる。
【００７８】
表意文字が上記方法に従った表意文字データベースを用いて入力される場合、７０００の表意文字の中から所望の文字をマウスを２回だけクリックすることによって選択して入力できる。
【００７９】
この方法を使用する場合、１００万の表意文字でさえも、３つのステップにわたって各リストウィンドウを１０Ｘ１０として形成することにより、マウスを３回だけクリックすることによって入力できる。
【００８０】
上記には、マウスを用いて前記リストウィンドウの文字を指定することを説明したが、入力しようとする文字は、前記リストウィンドウに記載の番号をキーボードを用いて入力することによっても入力できる。例えば、図２に示すリストウィンドウを表示中に「０」を入力すると、図３に示すリストウィンドウが生成され、図３のリストウィンドウに「７５」を入力すると、「表」を入力できる。
【００８１】
さらに、図２に示すリストウィンドウを、頻繁に入力される漢字をその中に収集してその底部に表示する図４に示す頻繁ウィンドウとともに表示することもできる。
【００８２】
さらに、前記表意文字データベースを以下の表１に記載のような構造としてもよい。
【００８３】
【表１】
2010505181.tif 000061
【００８４】
前記表意文字データベースが上記構造を持つ場合、部首画数/総画数/発音などに従って文字を入力することに慣れているユーザーならば、前記表意文字データベース構造を使用することもできる。また、前記表意文字データベース構造には、１つまたは複数の部首画数/総画数/発音を選択的に含むこともできる。さらに、発音に関しては、簡体字中国語文字のピンインが表１の発音に記載されているが、漢字に対応する発音が国によって変動する場合もあるので、前記データベースは各国の発音に従った構成とすることができる。もとより、韓国、中国及び日本の全ての発音を含むこともできる。
【産業上の利用可能性】
【００８５】
本発明に係る表意文字データベースシステム及びその方法が採用される場合、漢字を簡単に入力でき、表意文字を含む他のデータベースを簡単かつ効率的に処理できる。
【００８６】
本発明の特定の実施形態は例示的な目的で開示したものであって、当業者であれば、種々の変更、付加および代替を添付の特許請求の範囲で開示した本発明の範囲内において真の趣旨から逸脱することなく行い得ることを理解されるであろう。
【図１】
2010505181.tif 000067
【図２】
2010505181.tif 000068
【図３】
2010505181.tif 000069
【図４】
2010505181.tif 000070
【図５】
2010505181.tif 000071
【図６】
2010505181.tif 000072
【図７】
2010505181.tif 000073
【国際調査報告】
2010505181.tif 000074
2010505181.tif 000075